(57)【要約】【課題】複数の利用者が画像を共有し、画像プリント装置から画像を簡便にプリント出力できるようにする。【解決手段】本発明の実施形態に係る画像プリントシステムは、第１ユーザ端末から画像データを受信し、前記画像データを保存する保存領域を識別する識別情報を生成し、前記保存領域にアクセスするための位置情報と前記識別情報とを前記第１ユーザ端末へ送信するサーバ装置と、前記識別情報の入力を受け付け、入力された前記識別情報を前記サーバ装置に通知する画像プリント装置と、を備える。前記サーバ装置は、前記画像プリント装置から前記識別情報が通知されると、前記識別情報に対応する保存領域に保存されている画像データを前記画像プリント装置へ送信する。前記画像プリント装置は、前記サーバ装置から受信した画像データを用いてプリント処理を行い、プリント物を出力する。【選択図】図１
2019200653.tif 000002
【特許請求の範囲】
【請求項１】
第１ユーザ端末から画像データを受信し、前記画像データを保存する保存領域を識別する識別情報を生成し、前記保存領域にアクセスするための位置情報と前記識別情報とを前記第１ユーザ端末へ送信するサーバ装置と、
前記識別情報の入力を受け付け、入力された前記識別情報を前記サーバ装置に通知する画像プリント装置と、
を備え、
前記サーバ装置は、前記画像プリント装置から前記識別情報が通知されると、前記識別情報に対応する保存領域に保存されている画像データを前記画像プリント装置へ送信し、
前記画像プリント装置は、前記サーバ装置から受信した画像データを用いてプリント処理を行い、プリント物を出力することを特徴とする画像プリントシステム。
【請求項２】
前記サーバ装置は、前記位置情報を用いてアクセスしてきた第２ユーザ端末から画像データを受信し、受信した画像データを前記保存領域に保存することを特徴とする請求項１に記載の画像プリントシステム。
【請求項３】
前記サーバ装置は、前記第２ユーザ端末から画像データを受信したことを前記第１ユーザ端末に通知することを特徴とする請求項２に記載の画像プリントシステム。
【請求項４】
前記サーバ装置は、ユーザ端末から画像データを受信する際にユーザ名を取得し、前記画像プリント装置へ前記画像データと共に前記ユーザ名を送信し、
前記画像プリント装置は、前記ユーザ名に基づいて画像を分類して表示することを特徴とする請求項１乃至３のいずれか１項に記載の画像プリントシステム。
【請求項５】
前記画像プリント装置は、複数の編集アイテムを格納する記憶部、及び前記編集アイテムの選択を受け付け、前記画像データの編集を行う編集部を有し、前記画像データを解析し、おすすめの編集アイテムを選択して表示することを特徴とする請求項１乃至４のいずれか１項に記載の画像プリントシステム。
【請求項６】
前記画像プリント装置は複数台設けられており、各画像プリント装置は、複数の編集アイテムを格納する記憶部、及び前記編集アイテムの選択を受け付け、前記画像データの編集を行う編集部を有し、
第１の画像プリント装置は、前記編集部により編集された編集済み画像データを前記サーバ装置へ送信し、
前記サーバ装置は、第２の画像プリント装置から前記識別情報が通知されると、前記識別情報に対応する保存領域に保存されている画像データと、前記第１の画像プリント装置から受信した前記編集済み画像データとを前記第２の画像プリント装置へ送信することを特徴とする請求項１乃至５のいずれか１項に記載の画像プリントシステム。
【請求項７】
前記画像プリント装置は複数台設けられており、各画像プリント装置は、複数の編集アイテムを格納する記憶部、及び前記編集アイテムの選択を受け付け、前記画像データの編集を行う編集部を有し、
複数の画像プリント装置は前記サーバ装置を介して通信し、画像編集画面を共有することを特徴とする請求項１乃至６のいずれか１項に記載の画像プリントシステム。
【請求項８】
第１ユーザ端末から画像データを受信し、記憶部に前記画像データを保存する保存領域を生成し、前記保存領域に前記画像データを保存する画像受信部と、
前記保存領域を識別する識別情報と、前記保存領域にアクセスするための位置情報を生成する生成部と、
前記識別情報及び前記位置情報を前記第１ユーザ端末へ送信する情報送信部と、
画像プリント装置から通知された識別情報に対応する保存領域を特定する特定部と、
特定した保存領域に保存されている画像データを前記画像プリント装置へ送信する画像送信部と、
を備え、
前記画像受信部は、前記位置情報を用いてアクセスしてきた第２ユーザ端末から画像データを受信し、受信した画像データを前記保存領域に保存し、
前記画像プリント装置からの識別情報の通知が、前記第２ユーザ端末からのアクセス後である場合、前記画像送信部は、前記第１ユーザ端末から受信した画像データ及び前記第２ユーザ端末から受信した画像データを前記画像プリント装置へ送信することを特徴とするサーバ装置。
【請求項９】
請求項８に記載のサーバ装置と通信可能に接続された画像プリント装置であって、
識別情報の入力を受け付ける入力部と、
入力された識別情報を前記サーバ装置に通知し、前記サーバ装置から画像データを受信する通信部と、
複数の編集アイテムを格納する記憶部と、
前記編集アイテムの選択を受け付け、前記画像データの編集を行う編集部と、
編集済み画像データを印刷するプリンタと、
を備え、
前記通信部は、前記前記編集済み画像データを前記識別情報と共に前記サーバ装置へ送信することを特徴とする画像プリント装置。
【発明の詳細な説明】
【技術分野】
【０００１】
本発明は、画像プリントシステム、サーバ装置及び画像プリント装置に関する。
【背景技術】
【０００２】
デジタルカメラやスマートフォン等で撮影した画像のデジタルデータを読み込んでプリント出力する画像プリント装置が様々な場所に設置されている。例えば、利用者は、デジタルカメラで撮影した画像データが記憶された記憶媒体を持参し、記憶媒体内の画像データを画像プリント装置に読み込ませる。画像プリント装置は、記憶媒体から読み込んだ画像データを、内部に収容するプリンタからプリント出力する。
【０００３】
複数人で旅行へ行った場合、各自のスマートフォンやデジタルカメラに画像が保存されている。各利用者は、自分のスマートフォン等に保存された画像については、上述の画像プリント装置から簡単にプリント出力できる。しかし、他のメンバーのスマートフォン等に保存された画像については、互いにデータを送り合う必要があり、手間がかかっていた。
【先行技術文献】
【特許文献】
【０００４】
【特許文献１】特開２０１２−１７３９１２号公報
【発明の概要】
【発明が解決しようとする課題】
【０００５】
本発明は、上記従来の実状に鑑みてなされたものであり、複数の利用者が画像を共有し、画像プリント装置から共有画像を簡便にプリント出力できる画像プリントシステム、サーバ装置及び画像プリント装置を提供することを課題とする。
【課題を解決するための手段】
【０００６】
本発明による画像プリントシステムは、第１ユーザ端末から画像データを受信し、前記画像データを保存する保存領域を識別する識別情報を生成し、前記保存領域にアクセスするための位置情報と前記識別情報とを前記第１ユーザ端末へ送信するサーバ装置と、前記識別情報の入力を受け付け、入力された前記識別情報を前記サーバ装置に通知する画像プリント装置と、を備え、前記サーバ装置は、前記画像プリント装置から前記識別情報が通知されると、前記識別情報に対応する保存領域に保存されている画像データを前記画像プリント装置へ送信し、前記画像プリント装置は、前記サーバ装置から受信した画像データを用いてプリント処理を行い、プリント物を出力するものである。
【０００７】
本発明の一態様による画像プリントシステムにおいて、前記サーバ装置は、前記位置情報を用いてアクセスしてきた第２ユーザ端末から画像データを受信し、受信した画像データを前記保存領域に保存する。
【０００８】
本発明の一態様による画像プリントシステムにおいて、前記サーバ装置は、前記第２ユーザ端末から画像データを受信したことを前記第１ユーザ端末に通知する。
【０００９】
本発明の一態様による画像プリントシステムにおいて、前記サーバ装置は、ユーザ端末から画像データを受信する際にユーザ名を取得し、前記画像プリント装置へ前記画像データと共に前記ユーザ名を送信し、前記画像プリント装置は、前記ユーザ名に基づいて画像を分類して表示する。
【００１０】
本発明の一態様による画像プリントシステムにおいて、前記画像プリント装置は、複数の編集アイテムを格納する記憶部、及び前記編集アイテムの選択を受け付け、前記画像データの編集を行う編集部を有し、前記画像データを解析し、おすすめの編集アイテムを選択して表示する。
【００１１】
本発明の一態様による画像プリントシステムにおいて、前記画像プリント装置は複数台設けられており、各画像プリント装置は、複数の編集アイテムを格納する記憶部、及び前記編集アイテムの選択を受け付け、前記画像データの編集を行う編集部を有し、第１の画像プリント装置は、前記編集部により編集された編集済み画像データを前記サーバ装置へ送信し、前記サーバ装置は、第２の画像プリント装置から前記識別情報が通知されると、前記識別情報に対応する保存領域に保存されている画像データと、前記第１の画像プリント装置から受信した前記編集済み画像データとを前記第２の画像プリント装置へ送信する。
【００１２】
本発明の一態様による画像プリントシステムにおいて、前記画像プリント装置は複数台設けられており、各画像プリント装置は、複数の編集アイテムを格納する記憶部、及び前記編集アイテムの選択を受け付け、前記画像データの編集を行う編集部を有し、複数の画像プリント装置は前記サーバ装置を介して通信し、画像編集画面を共有する。
【００１３】
本発明によるサーバ装置は、第１ユーザ端末から画像データを受信し、記憶部に前記画像データを保存する保存領域を生成し、前記保存領域に前記画像データを保存する画像受信部と、前記保存領域を識別する識別情報と、前記保存領域にアクセスするための位置情報を生成する生成部と、前記識別情報及び前記位置情報を前記第１ユーザ端末へ送信する情報送信部と、画像プリント装置から通知された識別情報に対応する保存領域を特定する特定部と、特定した保存領域に保存されている画像データを前記画像プリント装置へ送信する画像送信部と、を備え、前記画像受信部は、前記位置情報を用いてアクセスしてきた第２ユーザ端末から画像データを受信し、受信した画像データを前記保存領域に保存し、前記画像プリント装置からの識別情報の通知が、前記第２ユーザ端末からのアクセス後である場合、前記画像送信部は、前記第１ユーザ端末から受信した画像データ及び前記第２ユーザ端末から受信した画像データを前記画像プリント装置へ送信するものである。
【００１４】
本発明による画像プリント装置は、本発明のサーバ装置と通信可能に接続された画像プリント装置であって、識別情報の入力を受け付ける入力部と、入力された識別情報を前記サーバ装置に通知し、前記サーバ装置から画像データを受信する通信部と、複数の編集アイテムを格納する記憶部と、前記編集アイテムの選択を受け付け、前記画像データの編集を行う編集部と、編集済み画像データを印刷するプリンタと、を備え、前記通信部は、前記前記編集済み画像データを前記識別情報と共に前記サーバ装置へ送信するものである。
【発明の効果】
【００１５】
本発明によれば、複数の利用者が画像を共有し、画像プリント装置から共有画像を簡便にプリント出力できる。
【図面の簡単な説明】
【００１６】
【図１】本発明の実施形態に係る画像プリントシステムの概略構成図である。
【図２】同実施形態に係る画像プリント方法の流れを説明するフローチャートである。
【図３】サーバ装置の機能ブロック図である。
【図４】画像プリント装置のブロック構成図である。
【図５】画像プリント装置の斜視図である。
【発明を実施するための形態】
【００１７】
以下、本発明の実施の形態を図面に基づいて説明する。
【００１８】
図１は、本発明の実施形態に係る画像プリントシステムの概略構成図である。画像プリントシステムは、サーバ装置１と画像プリント装置２とを備える。画像プリントシステムは、複数の利用者が、各自が所有する画像をサーバ装置１にアップロードして画像を共有できるようにし、この共有画像を画像プリント装置２からプリント出力するものである。図１には１台の画像プリント装置２を示しているが、画像プリント装置２は複数台あってもよい。
【００１９】
利用者Ａ，Ｂ，Ｃが画像を共有し、画像プリント装置２からプリント出力する方法を図２に示すフローに沿って説明する。例えば、利用者Ａ，Ｂ，Ｃは一緒に旅行へ行き、利用者Ａ，Ｂは、スマートフォンやタブレット端末であるユーザ端末３Ａ，３Ｂで旅行中に写真を撮影し、利用者Ｃはデジタルカメラ４で写真を撮影した。利用者Ｃはデジタルカメラ４の撮影画像データをＰＣ等のユーザ端末３Ｃへ転送し、保存している。
【００２０】
まず、利用者Ａが、ユーザ端末３Ａを利用してサーバ装置１に画像をアップロードする（ステップＳ１）。例えば、ユーザ端末３Ａにインストールされているアプリ（アプリケーションプログラム）を実行してサーバ装置１にアクセスし、画像保管フォルダの新規作成を指示し、ユーザ端末３Ａ内の画像を選択してアップロードする。
【００２１】
サーバ装置１は、画像保管フォルダ（保存領域）を生成し、このフォルダに、ユーザ端末３Ａから受信した画像データを保存する（ステップＳ２）。サーバ装置１は、この画像保管フォルダを識別する識別情報（認証コード）を生成する（ステップＳ３）。例えば、識別情報は、複数桁の英数字からなる。また、サーバ装置１は、この画像保管フォルダにアクセスするための位置情報（ＵＲＬ：Uniform  Resource  Locator）も生成する。
【００２２】
サーバ装置１は、識別情報及び位置情報をユーザ端末３Ａに送信する（ステップＳ４）。利用者Ａは、この識別情報及び位置情報をユーザ端末３Ｂ、３Ｃへ送信する（ステップＳ５）。ユーザ端末３Ｂ、３Ｃへの識別情報及び位置情報の送信方法はＥメールを用いたものでもよいし、メッセージサービスを利用したものでもよい。
【００２３】
利用者Ｂは、ユーザ端末３Ｂを利用し、受信した位置情報を用いてサーバ装置１の画像保管フォルダにアクセスし、識別情報を入力して認証処理を行った後、ユーザ端末３Ｂ内に保存されている画像をアップロードする（ステップＳ６）。サーバ装置１は、ユーザ端末３Ｂから受信した画像データをこのフォルダに保存する（ステップＳ７）。
【００２４】
利用者Ｃは、ユーザ端末３Ｃを利用し、受信した位置情報を用いてサーバ装置１の画像保管フォルダにアクセスし、識別情報を入力して認証処理を行った後、ユーザ端末３Ｃ内に保存されている画像をアップロードする（ステップＳ８）。サーバ装置１は、ユーザ端末３Ｃから受信した画像データをこのフォルダに保存する（ステップＳ９）。これにより、利用者Ａ，Ｂ，Ｃが所有する画像が同一の画像保管フォルダに格納される。
【００２５】
利用者Ａは、画像プリント装置２を操作し、ステップＳ４でサーバ装置１から通知された識別情報（認証コード）を画像プリント装置２に入力する（ステップＳ１０）。画像プリント装置２は、入力された識別情報をサーバ装置１へ送信する（ステップＳ１１）。
【００２６】
サーバ装置１は、画像プリント装置２から受信した識別情報に対応する画像保管フォルダ内の画像データを画像プリント装置２へ送信する（ステップＳ１２）。画像プリント装置２は、サーバ装置１から受信した画像の一覧画面を表示する（ステップＳ１３）。この一覧画面には、利用者Ａがアップロードした画像だけでなく、利用者Ｂ，Ｃがアップロードした画像も含まれている。
【００２７】
利用者Ａは、画像一覧画面の中から気に入った画像を選択し、画像プリント装置２に貨幣を投入して料金を支払う（ステップＳ１４）。画像プリント装置２は、選択された画像を用紙にプリントして出力する（ステップＳ１５）。利用者Ａは、出力されたプリント物を入手する（ステップＳ１６）。
【００２８】
利用者Ｂ，Ｃも同様にして画像プリント装置２に識別情報を入力することで、利用者Ａ，Ｂ，Ｃで共有している画像をプリント出力できる。
【００２９】
このように、本実施形態によれば、利用者Ａ，Ｂ，Ｃが所有する画像を共有できるようにサーバ装置１で保管し、画像プリント装置２に識別情報を入力することで共有画像の一覧が表示され、好みの画像を簡便にプリント出力できる。
【００３０】
例えば、Ｅメールを利用して互いに画像データを送り合って画像を共有する場合、Ｅメールサーバで設定されている制限以上のデータは送受信できず、画像を複数のＥメールに分けて送信する必要があり手間がかかる。また、スマートフォンやＵＳＢメモリ等に保存した共有画像を画像プリント装置２に転送する手間もかかる。
【００３１】
これに対し、本実施形態によれば、画像をサーバ装置１へアップロードすればよいため、Ｅメール等と比較して、送信データサイズを気にする必要性は小さい。また、画像プリント装置２に識別情報を入力するだけで画像プリント装置２がサーバ装置１から共有画像を取得するため、利用者の手間が軽減される。
【００３２】
次に、サーバ装置１について説明する。図３に示すように、サーバ装置１は、ＲＯＭ（Read  Only  Memory）、ＲＡＭ（Random  Access  Memory）、不揮発性メモリ、ハードディスク装置等を含む記憶部１０を有したコンピュータであり、記憶部１０には画像共有プログラムが格納されている。
【００３３】
サーバ装置１のＣＰＵが画像共有プログラムを実行することで、図３に示すように、画像受信部１１、識別情報生成部１２、情報送信部１３、識別情報受信部１４、保管フォルダ特定部１５、及び画像送信部１６の機能が実現される。
【００３４】
画像受信部１１は、ユーザ端末からアップロードされた画像を受信する。ユーザ端末から画像保管フォルダの作成が指示された場合、画像受信部１１は、記憶部１０に画像保管フォルダＦを作成し、このフォルダＦに受信した画像を保存する。ユーザ端末が、フォルダＦを指定する位置情報（ＵＲＬ）を用いてアクセスしてきた場合、画像受信部１１は、指定されたフォルダＦに、ユーザ端末から受信した画像を保存する。
【００３５】
識別情報生成部１２は、記憶部１０に画像保管フォルダＦを作成した場合、このフォルダＦを一意に識別する識別情報を生成する。識別情報は、例えば、４〜１６桁程度の英数字からなる。識別情報生成部１２は、フォルダＦにアクセスするための位置情報（ＵＲＬ）の生成を行ってもよい。
【００３６】
情報送信部１３は、記憶部１０に画像保管フォルダＦを作成した場合、このフォルダＦの識別情報と、インターネット等を介してこのフォルダＦにアクセスするための位置情報（ＵＲＬ）とを、画像保管フォルダの作成指示を行ったユーザ端末へ送信する。
【００３７】
識別情報受信部１４は、画像プリント装置２から識別情報を受信する。
【００３８】
保管フォルダ特定部１５は、画像プリント装置２から受信した識別情報に対応する画像保管フォルダＦを特定する。
【００３９】
画像送信部１６は、保管フォルダ特定部１５が特定した画像保管フォルダＦに保存されている画像データを画像プリント装置２へ送信する。
【００４０】
次に、画像プリント装置２について説明する。図４は画像プリント装置２のブロック構成図であり、図５は画像プリント装置２の斜視図である。図４に示すように、画像プリント装置２は、第１タッチパネル２０Ａ、第２タッチパネル２０Ｂ、データ入力部２１、課金部２２、プリンタ２３、ＣＰＵ（中央処理部）２４、ディスク装置（記憶部）２５、メインメモリ２６、及び通信部２７を有する。
【００４１】
図５に示すように、第１タッチパネル２０Ａは筐体Ｈの天板２Ａ部分に設けられ、第２タッチパネル２０Ｂは筐体Ｈの上部に設けられている。第１タッチパネル２０Ａへの入力操作を行い易いように、天板２Ａ及び第１タッチパネル２０Ａの画面は、手前側が低く奥側が高くなるようにやや傾斜している。第２タッチパネル２０Ｂのディスプレイ画面は、略垂直に立った状態となっている。
【００４２】
第１タッチパネル２０Ａ及び第２タッチパネル２０Ｂは、画像を含む情報を表示したり、利用者から各種指示の入力を受け付けたりする。第１タッチパネル２０Ａは、識別情報入力画面、画像一覧を表示してプリント出力する画像データの選択やプリント枚数指定などを受け付ける注文画面、画像にスタンプ等を合成する編集を行う編集画面、注文内容や請求金額の確認画面等を表示する。タッチパネルの代わりに、タッチ機能のないディスプレイ及びプッシュボタン等を設けてもよい。
【００４３】
データ入力部２１は、デジタルカメラ等で撮影した画像データが記憶された記憶媒体から画像データを読み取ることで、画像データの入力を受け付ける。データ入力部２１は、様々な記憶媒体に対応したデータ読取装置を有している。また、データ入力部２１は、赤外線通信又は無線通信により携帯端末から画像データの入力を受け付けることができる。図５に示すように、データ入力部２１は筐体Ｈの上部、具体的には筐体Ｈの天板２Ａと第２タッチパネル２０Ｂとの間に設けられている。
【００４４】
図５に示すように、課金部２２は、筐体Ｈの前面側に設けられた硬貨投入口２２Ａ、紙幣投入口２２Ｂ、釣銭返却口２２Ｃを有し、硬貨投入口２２Ａ及び紙幣投入口２２Ｂから投入された貨幣を識別計数し、釣銭を釣銭返却口２２Ｃから放出する。課金部２２は、プリント枚数、単価、請求金額、投入金額、釣銭額等をレシートに印字して出力するレシートプリンタを有していてもよい。
【００４５】
プリンタ２３は、昇華型又はインクジェット型などの高解像度カラープリンタであり、注文内容に基づいて、画像データをプリントして出力する。プリンタ２３は筐体Ｈ内に収容されている。プリンタ２３は複数台設置されていてもよい。図５に示すように、筐体Ｈの前面側には、透明な開閉扉Ｄが開閉自在に設けられている。開閉扉Ｄの裏面側には、プリンタ２３がプリント出力したプリント物が集積される集積部（図示せず）が設けられており、開閉扉Ｄを開けると集積部に集積されたプリント物を取り出せるようになっている。
【００４６】
ディスク装置２５（記憶部）は、制御プログラム、及び画像データに対して合成可能な複数の編集アイテムを格納する。ディスク装置２５は例えばハードディスクドライブである。
【００４７】
ＣＰＵ２４は、ディスク装置２５内の制御プログラムをメインメモリ２６にロードし、制御プログラムを実行することで、第１タッチパネル２０Ａ、第２タッチパネル２０Ｂ、課金部２２、プリンタ２３、通信部２７等を制御する制御部として機能する。
【００４８】
制御部は、第１タッチパネル２０Ａに識別情報入力画面を表示する。利用者が識別情報入力画面を操作して識別情報を入力すると、通信部２７が識別情報をサーバ装置１へ送信する。
【００４９】
通信部２７が、識別情報に対応する画像データをサーバ装置１から受信すると、制御部は受信した画像を縮小したサムネイル画像の一覧を含む注文画面を第１タッチパネル２０Ａに表示する。注文画面には画像毎にプリント枚数増減ボタンが設けられており、このボタンを押下することで、各画像のプリント枚数を指定し、印刷注文を入力することができる。
【００５０】
また、注文画面には画像毎に編集ボタンが設けられている。編集ボタンを押下すると、第１タッチパネル１０Ａの表示が、この画像を編集する編集画面に切り替わる。編集画面を操作し、スタンプ等の編集アイテムを画像に合成したり、文字を入力したりする。制御部は、画像の編集加工を行う編集部としての機能を有する。
【００５１】
プリント注文が完了すると、制御部は、利用者からの注文内容に基づく請求金額を第１タッチパネル２０Ａに表示する。利用者が貨幣を投入すると、課金部２２は投入された貨幣を計数し、釣銭の出金やレシートの印字等を行う。
【００５２】
このようなサーバ装置１及び画像プリント装置２を有する画像プリントシステムを用いることで、複数の利用者がサーバ装置１に画像をアップロードして画像が共有できるようになる。利用者が画像プリント装置２に識別情報を入力すると、画像プリント装置２が対応する共有画像をサーバ装置１から取得し、画像一覧を表示する。利用者は、画像一覧から好みの画像を選択してプリント出力できる。
【００５３】
上記実施形態において、サーバ装置１は、識別情報を示す二次元コード画像を作成してユーザ端末へ送信してもよい。画像プリント装置２には、二次元コードを読み取る読取機が設けられ、利用者によって提示された二次元コードを読み取って識別情報を取得する。
【００５４】
サーバ装置１は、所定の保管期限経過後に、画像保管フォルダＦ内の画像を消去してもよい。
【００５５】
サーバ装置１は、アップロードした利用者毎に画像を分類し、画像プリント装置２へ画像を送信する際に、分類情報もあわせて送信してもよい。画像プリント装置２は、分類情報に基づいて画像をアップロードした利用者別に画像を表示してもよい。
【００５６】
例えば、サーバ装置１は、ユーザ端末３Ａからアップロードされた画像については撮影者Ｉ、ユーザ端末３Ｂからアップロードされた画像については撮影者II、ユーザ端末３Ｃからアップロードされた画像については撮影者IIIという分類情報を付与する。画像プリント装置２は、撮影者Ｉ、II、III毎にグループ化して画像を表示する。
【００５７】
画像プリント装置２は、利用者からの操作により、タッチパネル２０Ａとタッチパネル２０Ｂとにグループ化した画像を分割して表示してもよい。例えば、画像プリント装置２を操作している利用者Ａは、自身がアップロードした画像（撮影者Ｉの画像）をタッチパネル２０Ｂに表示し、利用者Ｂ，Ｃがアップロードした画像（撮影者II、IIIの画像）をタッチパネル２０Ａに表示する。
【００５８】
この場合、利用者Ａは撮影者Ｉが自分であることは分かるが、撮影者II、IIIが利用者Ｂ、Ｃのどちらか分からない。そのため、ユーザ端末３Ａ〜３Ｃからサーバ装置１に画像をアップロードする際に、自分の名前（ニックネーム等）を入力できるようにしてもよい。入力された名前が分類情報として利用される。
【００５９】
画像プリント装置２は、画像解析を行い、画像におすすめの編集アイテムを提案してもよい。例えば、タッチパネル２０Ａに表示するサムネイル画像の一覧から利用者が選択した画像の解析を行い、おすすめの編集アイテムをタッチパネル２０Ｂに表示する。例えば、画像が集合写真の場合、おすすめのフレームを提案したり、子供が写っている場合、おすすめの色味を提案したりする。
【００６０】
利用者が画像プリント装置２で編集加工した編集済みの画像を画像プリント装置２がサーバ装置１へ送信し、同じ画像保管フォルダＦに保存してもよい。例えば、利用者Ａが画像プリント装置２で編集加工した編集加工後の画像が識別情報と共にサーバ装置１へ送信される。サーバ装置１は、識別情報に対応する画像保管フォルダＦに編集加工した画像を保存する。その後、利用者Ｂが画像プリント装置２に識別情報を入力した際、利用者Ａ〜Ｃがアップロードした画像に加えて、利用者Ａが編集加工した画像もサーバ装置１から画像プリント装置２へ送信され、一覧画面に表示される。利用者Ｂは、利用者Ａによる編集済みの画像を楽しむことができる。
【００６１】
利用者Ａがどの画像をプリントしたかの履歴情報を画像プリント装置２からサーバ装置１へ送信してもよい。利用者Ｂが画像プリント装置２に識別情報を入力した際、この履歴情報もサーバ装置１から画像プリント装置２へ送信される。利用者Ｂは、利用者Ａがどの画像をプリントしたかを知ることができる。
【００６２】
画像プリント装置２は、プリント処理後、利用者から、この利用者に相当する分類情報（上述の撮影者Ｉ、II、IIIや、名前）の選択を受け付け、サーバ装置１に通知してもよい。サーバ装置１は、画像プリント装置２から通知された分類情報から、まだプリント出力を行っていない利用者に対してプリント出力を促すメッセージを送信してもよい。
【００６３】
例えば、利用者Ａは、画像プリント装置２でのプリント処理後、画像をアップロードした人のニックネーム一覧から自分のニックネームを選択する。画像プリント装置２は、選択されたニックネームをサーバ装置１に通知する。サーバ装置１は、このニックネーム以外の利用者（利用者Ｂ、Ｃ）のユーザ端末（３Ｂ、３Ｃ）へプリント出力を促すメッセージを送信する。
【００６４】
画像プリント装置２は、サーバ装置１から、画像データと画像をアップロードした利用者のニックネームとを受信し、タッチパネル２０Ａに表示する際に、アップロード催促ボタンを表示してもよい。例えば、利用者Ａは、画像をアップロードした利用者のニックネームを確認し、利用者Ｂが未だ画像をアップロードしていないことが分かると、アップロード催促ボタンを押し、利用者Ｂの連絡先（Ｅメールアドレス等）を入力する。画像プリント装置２は、入力された連絡先をサーバ装置１に通知する。サーバ装置１は、この連絡先に画像のアップロードを催促するメッセージ（Ｅメール等）を送信する。
【００６５】
サーバ装置１は、画像のアップロードがあったことを利用者に通知してもよい。例えば、まず、利用者Ａが画像保管フォルダの作成を指示し、画像をアップロードする。利用者Ａは、識別情報及び位置情報を利用者Ｂ，Ｃに通知する。利用者Ｂ又はＣが位置情報を用いて画像保管フォルダにアクセスし、画像をアップロードすると、サーバ装置１は画像のアップロードがあったことを利用者Ａに通知する。利用者Ａはこの通知を受け取った後、画像プリント装置２を操作し、画像のプリント出力を行う。これにより、利用者Ａが画像プリント装置２を操作する際に、利用者Ａ以外の人が誰も未だ画像をアップロードしていないという状況になることを防止できる。
【００６６】
画像プリント装置２にチャット機能を持たせ、複数の画像プリント装置２でリアルタイムに画像編集を行えるようにしてもよい。例えば、利用者Ａが第１画像プリント装置に識別情報を入力し、サーバ装置１から共有画像を取得し、画像の編集を行う。この時、利用者Ｂが第２画像プリント装置に同じ識別情報を入力し、第２画像プリント装置が識別情報をサーバ装置１へ送信すると、サーバ装置１は、第１画像プリント装置及び第２画像プリント装置に対し、チャット機能を使用するか問い合わせる。両方の画像プリント装置からチャット機能の使用許諾があると、両方の画像プリント装置に共通の編集画面を表示させ、第１画像プリント装置と第２画像プリント装置とがサーバ装置１を介して通信することで、利用者Ａ、Ｂが共同で編集作業を行うことができるようになる。２台でなく、３台以上の画像プリント装置で同時リアルタイム編集を行ってもよい。
【００６７】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６８】
１  サーバ装置
２  画像プリント装置
３Ａ，３Ｂ，３Ｃ  ユーザ端末
４  デジタルカメラ
【図１】
2019200653.tif 000003
【図２】
2019200653.tif 000004
【図３】
2019200653.tif 000005
【図４】
2019200653.tif 000006
【図５】
2019200653.tif 000007